(57)【要約】生体の負荷を極力小さくするような留置針挿入用ホール形成ピン、およびそのホール形成ピンを皮膚表面から装着するための装着治具を提供する。留置針を皮膚表面から血管にかけて留置するための留置針挿入用ホールを形成するピンＡを、先端に曲面を有する円柱状挿入部１と、該挿入部１の基端に設けられた挿入停止部２と、該挿入停止部２に柔軟な接続枝３を介して接続された翼部４とから構成し、このホール形成ピンＡを装着する治具として、装着治具Ｂの本体６と、その本体６に本体の長さ方向に摺動する摺動体７を組み込み、前記摺動体７の先端部または／および前記装着治具の本体６の先端部には留置針挿入用ホール形成ピンを支持するための支持手段１０を設け、前記摺動体７の摺動によって留置針挿入ホール形成用のピンＡを皮膚表面から装着させる。
2004011063.tif 000002
【特許請求の範囲】
【請求項１】
留置針を皮膚表面から血管にかけて留置するための留置針挿入用ホールを形成するピンであって、
先端に曲面を有する円柱状挿入部と、該挿入部の基端に設けられた挿入停止部と、該挿入停止部に接続された翼部とを含んでなり、前記挿入停止部と前記翼部とは弾性接続部を介して接続されたことを特徴とする留置針挿入用ホール形成ピン。
【請求項２】
挿入部の外径が０．５〜３．０ｍｍ、長さが３〜２０ｍｍである請求項１記載の留置針挿入用ホール形成ピン。
【請求項３】
弾性接続部での弾性変形が、前記挿入停止部に対して円柱状挿入部が挿入されようとする血管の流れの向きに略直角断面方向に対して翼部全体を可動するものである請求項１または２記載の留置針挿入用ホール形成ピン。
【請求項４】
弾性接続部での弾性変形が、前記翼部に対して円柱状挿入部が挿入されようとする血管に対する穿刺角度に角度の自由性を許容するものである請求項１〜３いずれか記載の留置針挿入用ホール形成ピン。
【請求項５】
弾性接続部での弾性変形が、前記翼部に対して円柱状挿入部を伴った前記挿入停止部が円柱状挿入部の円柱部分の軸を中心とした略周回方向の角度の自由性を許容するものである請求項１〜３いずれか記載の留置針挿入用ホール形成ピン。
【請求項６】
上記弾性接続部での弾性変形を、請求項４に記載の前記翼部に対して円柱状挿入部の血管に対する穿刺角度の自由性を許容する弾性変形と請求項５に記載の前記翼部に対して円柱状挿入部を伴った前記挿入停止部の円柱状挿入部の円柱部分の軸を中心とした略周回方向の角度の自由性を許容する弾性変形とのバランスが調整されるようにして、前記弾性接続部の材質、形状に基づく設定がなされている請求項１〜３いずれか記載の留置針挿入用ホール形成ピン。
【請求項７】
翼部が挿入停止部に対して柔軟な接続枝を介して接続された請求項６記載の留置針挿入用ホール形成ピン。
【請求項８】
接続枝の横断面直径が０．１〜２ｍｍ、長さが０．５〜１０ｍｍである請求項７記載の留置針挿入用ホール形成ピン。
【請求項９】
留置針を皮膚表面から血管にかけて留置するための留置針挿入用ホール形成ピンを皮膚表面から血管に向けて装着するための装着治具であって、該装着治具は、本体と該本体に組み込まれて該本体の長さ方向に摺動する摺動体とを有し、本体および／または摺動体の先端部に、留置針を皮膚表面から血管にかけて留置するための留置針挿入用ホール形成ピンを支持するための支持手段が備えられた留置針挿入用ホール形成ピンの装着治具。
【請求項１０】
本体には平行な二つの相対する側板が一体的に形成され、前記摺動体は該二つの側板間に嵌挿されて該本体を構成する二つの側板の内壁と該摺動体を構成する外壁とのそれぞれに摺動方向に噛み合うガイドが形成されていることによって該摺動体が該本体の前方に摺動可能となされた請求項９記載の留置針挿入用ホール形成ピンの装着治具。
【請求項１１】
本体の先端部から突出された摺動軸に摺動体が摺動可能に挿通され、本体の左右側壁と摺動体の左右側壁にはこれら本体と摺動体の外方に屈曲された２個のバネ材端部のそれぞれが固定されてなる請求項９記載の留置針挿入用ホール形成ピンの装着治具。
【請求項１２】
摺動体には、該摺動体を本体に沿って摺動させるための駆動手段が設けられてなる請求項９〜１１のいずれかに記載の留置針挿入用ホール形成ピンの装着治具。
【請求項１３】
摺動体の駆動手段が、摺動体の一部に形成された指掛け部である請求項１２記載の留置針挿入用ホール形成ピンの装着治具。
【請求項１４】
摺動体の駆動手段が指掛け部材とバネとを含む構成となされ、左右側壁、底板、天板、後端壁とからなる筒状の本体内に摺動体が組み込まれ、本体の後端壁内部と摺動体の後端との間にコイルバネが嵌合されて摺動体が前方に付勢され、摺動体の上部には前向きの斜面が形成され、該斜面に相応した後ろ向きの斜面が指掛け部材の下部に形成されるとともに、該指掛け部材の上部が本体の天板に開けられた透孔から本体上方に突出されてなる請求項１２記載の留置針挿入用ホール形成ピンの装着治具。
【請求項１５】
留置針挿入用ホール形成ピンを支持する支持手段の少なくとも一部が、摺動に伴って相対的に本体先端より後方に後退されて、該支持手段から留置針挿入用ホール形成ピンが離脱されるようになされた請求項９〜１４のいずれかに記載の留置針挿入用ホール形成ピンの装着治具。
【請求項１６】
本体の先端部および／または前記摺動体の先端部に留置針挿入用ホール形成ピンの翼部が保持される翼部保持手段が形成された請求項９〜１５のいずれかに記載の留置針挿入用ホール形成ピンの装着治具。
【発明の詳細な説明】
【技術分野】  本発明は、人体の皮膚表面から血管壁まであるいはその直近までの、留置針を挿入するための挿入用ホールを形成するためのピン、およびそのピンの装着治具に関する。
【背景技術】  血液透析患者は、一般に週に２〜３回のペースで血液透析を行う必要があり、その都度留置針を穿刺することは患者にとってかなりの苦痛となっていた。
そこで、この穿刺痛を最小限に抑えるために、本出願人はすでに留置針挿入用ホール形成ピンを提案した。（意匠登録第１１３６４５２号、１１３７７４３号、１１３８６６７号、１１４０７３８号公報参照）これらは、丸みを帯びた先端を有する円柱状の挿入部と、挿入部の基端に設けられた挿入停止部とからなり、この挿入停止部には挿入補助具の先端部分が差し込まれてピンを保持するための保持部（凹部）が形成されている。
これら留置針挿入用ホール形成ピンを、皮膚表面から血管壁まであるいはその直近のところまで挿入して数日間留置すると、留置針を挿入させるための通路となるホール（以下「ボタンホール」という）が形成される。以後の穿刺時には、このボタンホールに沿って留置針を挿入すればよいから、本ボタンホール穿刺法以外の穿刺時に発生するような穿刺痛はかなり解消される。
しかしながら、従来の留置針挿入用ホール形成ピンは、挿入停止部の形状として球状、円錐状、卵形状、あるいは皮膚接触面積がそれほど大きくない平板状のもの等が採用されており、留置時の固定は必ずしも完全ではなかった。例えば、患者が何かに触れるなどのちょっとしたはずみで生体（ボタンホール）に過剰の負荷がかかってしまった際等最悪の場合には、挿入部の向きが変わってしまったままで固定されボタンホールが血管以外の方向に向かって形成されてしまったり、ホール形成ピンが外れてホール形成がまったくできないという可能性がある。また、上述の従来の留置針挿入用ホール形成ピンを保持するための挿入補助具は、ピン装着の方向が見極め難い、装着後にピン自体を挿入補助具から離脱し難いなどの問題があるなど操作性には手間がかかるという点で問題があった。
【発明の開示】
本発明はこのような事情に鑑みてなされたもので、その目的とするところは、透析用留置針を引き抜いた直後の刺通傷への挿入操作が容易で、ボタンホールが血管以外の方向に向かって形成されないように、あるいはまた不本意にも簡単にホール形成ピンが外れてしまうのを防いで生体への負荷を極力小さくするための留置針挿入用ホール形成ピン、およびそのホール形成ピンを操作性よく装着するための装着治具（挿入補助具）を提供するものである。
そして、本発明者らは上記課題を解決するために種々鋭意検討を行った結果、留置針挿入用ホール形成ピンに翼部を設けることによりこの翼部を把持して刺通傷への留置針挿入用ホール形成ピンの挿入を行えるので挿入操作が容易であり、また、留置の際にこの翼部をテープ等で固定しておけば、ボタンホール形成方向が変化するのを防ぐことができ、さらに翼部と挿入停止部との接続部分に弾性接続部を設ければ、挿入部の挿入角度を微妙に調節でき、生体に対する負荷を極力小さくすることができることを見出し本発明に到達した。また、形成ピンを皮膚表面から挿入して装着するのと同時に、タイミングよくホール形成ピンを装着治具からうまく離脱させ得る装着治具を完成するに至った。
すなわち、本発明留置針挿入用ホール形成ピンは、留置針を皮膚表面から血管にかけて留置するためのボタンホールを形成するピンであって、先端に曲面を有する円柱状挿入部と、該挿入部の基端に設けられた挿入停止部と、該挿入停止部に接続された翼部とを含んでなり、前記挿入停止部と前記翼部とは弾性接続部を介して接続されたことを特徴とするものである。
これにより、従来留置針挿入用ホール形成ピンを保持するための挿入補助具が必要で、挿入角度に挿入補助具を合わせかつ挿入補助具からホール形成ピンを離脱させるという面倒な操作が必要であったが、本発明留置針挿入用ホール形成ピンにおいては翼部部分を指先で把持して挿入し、そのまま固定することができるので、留置手技が容易になるという効果を有している。
また、本発明留置針挿入用ホール形成ピンにおいて、挿入部の外径を０．５〜３．０ｍｍ、長さが３〜２０ｍｍとするものである。
すなわち、その径寸法は透析用留置針を引き抜いた直後の刺通傷の大きさにより決定されるが、一般的な針径寸法１．２ｍｍ〜１．８ｍｍ（プラスチック製の針では１．５〜２．３ｍｍ等）に合わせ１．５ｍｍ〜３ｍｍ程度が好適である。さらに、本願留置針挿入用ホール形成ピンは透析用の用途のみならず、定期的な検査（血液サンプリング等）や持続的，断続的な薬液注入（輸液等）の用途にも適用され、血液検査用の０．５ｍｍ〜１．８ｍｍの針径寸法のものや、輸液用の１．０ｍｍ〜１．５ｍｍの針径寸法のものに対して０．５ｍｍ〜２．０ｍｍ程度のものが適宜用いられる。本願留置針挿入用ホール形成ピンの挿入部の長さ寸法としては、留置針挿入用ホール形成ピンの留置時にピン先端が血管壁あるいはその直近の位置まで到達するために、長さが３〜２０ｍｍであるのが好適である。
また、本発明留置針挿入用ホール形成ピンにおいて、弾性接続部での弾性変形は、前記挿入停止部に対し円柱状挿入部が挿入されようとする血管の流れの向きに略直角断面方向に対し翼部全体を可動するものである。これによって、挿入部と翼部とは弾性接続部を介して柔軟に接続されているため翼部の開閉が容易で挿入操作が容易で操作性よく、留置の際にも翼部の固定力が緩和されて挿入部に伝わって、生体に対し負荷を小さくすることができるので好ましい。
また、本発明留置針挿入用ホール形成ピンにおいて、弾性接続部での弾性変形が、前記翼部に対して円柱状挿入部が挿入されようとする血管に対する穿刺角度に角度の自由性を許容するものとなされたものである。この場合、留置針を引き抜いた後の刺通傷（ボタンホール）の角度とホール形成ピンの穿刺角度とが必ずしも正確に同一でない場合であっても、挿入部の挿入によってボタンホールの角度に追随してなめらかな挿入操作がなされる。
また、本発明留置針挿入用ホール形成ピンにおいて、弾性接続部での弾性変形が、前記翼部に対し円柱状挿入部を伴った前記挿入停止部が円柱状挿入部の円柱部分の軸を中心とした略周回方向の角度の自由性を許容するものである。
この場合にも、留置針を引き抜いた後の刺通傷が正確に血管の流れ方向の真上からでなく、たとえ若干斜め方向から血管に向けて形成されていたとしてもホール形成ピンはスムーズに挿入でき、また挿入操作に際しても生体に対して負荷を増すことなく行われる。
また、本願留置針挿入用ホール形成ピンにおいて、上記弾性接続部での弾性変形を、上記翼部に対して円柱状挿入部の血管に対する穿刺角度の自由性を許容する弾性変形と、前記翼部に対して円柱状挿入部を伴った前記挿入停止部の円柱状挿入部の円柱部分の軸を中心とした略周回方向の角度の自由性を許容する弾性変形との各バランスが調整されるようにして、前記弾性接続部の材質、形状に基づく設定がなされている場合には、留置針を引き抜いた後の刺通傷に必ずしも正確に合致したものでない挿入部の角度であっても、上記各方向ともにそれぞれ±２〜１０°程度の角度誤差の範囲内にあれば、ホール形成ピンの挿入部はボタンホールに追随してなめらかな挿入操作がなされる。
そこで、本発明留置針挿入用ホール形成ピンを、翼部が挿入停止部に対して柔軟な接続枝を介して接続されたものとした場合は、上記翼部に対して円柱状挿入部の血管に対する穿刺角度および円柱状挿入部を伴った前記挿入停止部の円柱状挿入部の円柱部分の軸を中心とした略周回方向の角度がともに、それぞれの角度自由性のバランスを適度に併せもった優秀な操作性のものが得られ、かつ生体への負荷も最低限に抑えられたものとなり、なかでも実用的にみて寸法の設定は、接続枝部分の横断面直径が０．１〜２ｍｍ、長さが０．５〜１０ｍｍであるのがもっとも好ましい。
なお、接続枝とは、留置針挿入用ホール形成ピンのその挿入停止部と翼部とを接続させている弾性接続部の一形態を呼称するもので、挿入停止部から枝状に延び、挿入停止部と翼部を接続している部分を指している。
さらに、本発明の留置針挿入用ホール形成ピンに用いる装着治具は、前述のホール形成ピンを皮膚表面から血管に向け装着するための装着治具であって、装着治具は、本体と、該本体に組み込まれて該本体の長さ方向に摺動する摺動体とを有し、本体および／または摺動体の先端部にホール形成ピンを支持するための支持手段が備えられており、該支持手段によって確実に支持されたホール形成ピンを、皮膚表面から血管に向けて本体に組み込まれた摺動体の動きによって挿入してゆくので、指先で行うような不安定さがなくホール形成ピンをボタンホールに沿ってスムーズに挿入・装着ができて好ましい。
また、本発明装着治具は、本体に平行な二つの相対する側板が一体的に形成され、前記摺動体は該二つの側板間に嵌挿されて該本体を構成する二つの側板の内壁と該摺動体を構成する外壁とのそれぞれに摺動方向に噛み合うガイドが形成され該摺動体が該本体の前方に摺動可能となされたもの、あるいはまた、本体の先端部から突出された摺動軸に摺動体が摺動可能に挿通されて、本体の左右側壁と摺動体の左右側壁にこれら本体と摺動体の外方に屈曲された２個のバネ材端部のそれぞれが固定されてなるものである。
ここで、装着治具の本体の前方とは、留置針挿入用ホール形成ピンが取り付けられ、皮膚表面から血管に向けて形成ピンが装着される側を指している。
また、本発明に係る装着治具において、前記摺動体には、該摺動体を本体に沿って簡単に摺動させ得るような駆動手段が設けられることによりスムーズな摺動動作が可能となされ、摺動体の駆動手段としては摺動体の一部に形成された指掛け部が簡単な操作性から好適に用いられ、あるいは摺動体の駆動手段が左右側壁、底板、天板、後端壁からなる筒状の本体内に摺動体が組み込まれて、本体の後端壁内部と摺動体の後端との間にコイルバネが嵌合されて摺動体が前方に付勢され、摺動体の上部には前向きの斜面が形成され、該前向きの斜面に相応した後ろ向きの斜面が指掛け部材の下部に形成されるとともに、該指掛け部材の上部が本体天板に開けられた透孔から本体上方に突出されてなる場合には、前記指掛け部材を押すことによって生じる摺動の動きがバネの付勢力を利用した形態とすることによって、指の動きのような操作者の個人差には左右されない一定の操作力によって行われることから、より簡単で安定した操作性が得られることから好適である。
また、本願に係る装着治具において、留置針挿入用ホール形成ピンを支持する支持手段の少なくとも一部が、摺動に伴い相対的に本体先端より後方に後退され、該支持手段から留置針挿入用ホール形成ピンが離脱されるようになされた場合には、ホール形成ピンが皮膚表面から血管に向け挿入された後に操作上必要でなくなった装着治具をホール形成ピンからすぐに離すことができるため、即座にホール形成ピンを皮膚表面に翼部を介してテープで固定できて操作性が良い。
また、本願に係る装着治具において、本体の先端部および／または前記摺動体の先端部に留置針挿入用ホール形成ピンの翼部が保持される翼部保持手段が形成された場合は、装着操作の間にホール形成ピンの翼部が振れてホール形成ピンの先端の向きが定まらないといようなこともなく、ホール形成ピンを所定の向きに確実に挿入できて操作性が良い。
【図面の簡単な説明】  第１図は、本発明の留置針挿入用ホール形成ピンの実施形態例を表す斜視図であり、留置針挿入用ホール形成ピンＡは、先端に曲面を有する円柱状の挿入部１と、この挿入部１の基端に設けられた挿入停止部２と、その挿入停止部２と弾性接続部３０を介して接続された翼部４とから構成されている。なお、この実施形態例においては、本発明実施の最良の形態として、弾性接続部３０の一形態を、挿入停止部から枝状に延び、挿入停止部と翼部を接続している細く柔軟な部分である接続枝３を形成させた場合を示している。
第２図は、本発明の留置針挿入用ホール形成ピンの別の一実施形態例を表す斜視図であり、弾性接続部３０の実施形態の例とそれにより動きが容易となる翼部４の動作について表している。
第３図は、本発明の留置針挿入用ホール形成ピンを適用する場合の、刺通傷に対する追随性を説明するための斜視図である。
続いて、第４図〜第８図には、本発明留置針挿入用ホール形成ピンに用いる装着治具を表しており、装着治具Ｂは、本体６と該本体６に組み込まれた長さ方向に摺動する摺動体７とを有し、摺動体７は駆動手段９によって容易に摺動可能となされ、さらに本体６および／または摺動体７の先端部には留置針を皮膚表面から血管にかけて留置するための留置針挿入用ホール形成ピンＡを支持するための支持手段１０が備えられている。
第４図〜第８図においては、実施の形態を説明する３つの形態例を、それぞれ図５、図６、図８において、（ａ）；留置針挿入用ホール形成ピンを装着治具に取り付けた状態、（ｂ）；留置針挿入用ホール形成ピンが装着治具の支持手段から離脱した状態（すなわち、ホール形成ピンが装着された後の状態）の（ａ），（ｂ）を示しており、図４は図５の、図７は図８の、それぞれの実施形態例について構造分解図で表したものである。
【発明を実施するための最良の形態】  以下、実施例により本発明留置針挿入用ホール形成ピンおよびその装着治具について図面をもとに、さらに具体的に説明する
【実施例１】  最初に、本発明留置針挿入用ホール形成ピンＡの各構成部分の動作について説明しておく。
図２は、本発明留置針挿入用ホール形成ピンの一実施形態の例を表しており、円柱状挿入部１の基端には挿入停止部２が設けられ、この挿入停止部２から左右両側に翼部４が弾性接続部３０を介して接続されており、弾性接続部３０の部分はホール形成ピンの他の挿入停止部２や翼部４などよりも一段と柔軟性がもたされており、したがって挿入停止部２に対し翼部４は図中に表すように水平状態に形成されたものが容易に屈曲させられて図中の破線に示すように直立可能となされ、このように直立させた翼部４の部分を指先で把持して本発明留置針挿入用ホール形成ピンの円柱状挿入部１を留置針を引き抜いた後の刺通傷に挿入し、翼部４を再度水平状態に戻して上からテープ等で貼って固定することができるのである。
なお、弾性接続部３０に翼部４の部分より柔軟性をもたせるために、翼部４の幅寸法〔図中のｗ１〕より弾性接続部３０の長さ〔図中のｗ２〕を短く設計することや、図２（ａ）に示すように部分的に薄肉厚の部分を形成させた弾性接続部３０を設けたり、同図（ｂ）に示すように弾性接続部３０の部分だけをより軟質材料とする方法等が考えられる。
ところで、血管に針を穿刺させる場合、一般にその血管の流れ方向に沿って適当な角度をもって針先が穿刺されるが、留置針挿入用ホール形成ピンの円柱状挿入部１は必ずしも留置針を引き抜いた後の刺通傷の形成された角度に正確に向くとは限らず、むしろ一定の角度誤差が生じるのが一般的である。
そこで、図３には、留置針挿入用ホール形成ピンの円柱状挿入部１に与えられた刺通傷に対する追随性に必要な自由性を許容する角度の種類を示したものである。すなわち、α：血管５に対する縦方向での穿刺角度の動きの自在性、およびβ：挿入停止部の円柱状挿入部の円柱部分の軸を中心とした略周回方向での角度の動きの自在性をそれぞれ表している。これらαおよびβの２方向の角度の自由性は、それぞれの方向への弾性変形のバランスが調整されるように前記弾性接続部３０の材質、形状に基づいた設定がなされなければならない。
この角度誤差の範囲は、留置針挿入用ホール形成ピンの弾性接続部３０の形態や材質、寸法によって決定されるが、実用上±２〜１０°程度の角度誤差の範囲内に調整されるのが好適で、それによりなめらかな挿入操作がなされる。なお、この最大値である±１０°を超えると角度の自由度があり過ぎ、円柱状挿入部１の挿入角度が定まらなく操作性が悪くて使い辛いものとなり、反対に±２°未満ではほとんど調整のきかない堅いものとなって実用に適しない。
前記弾性接続部３０の材質、形状に基づいた実際的な設定は、例えば図２に示したｗ２の長さ寸法や厚さ寸法、あるいはその断面形状、材質による弾性の程度というように検討されて決定される。
【実施例２】  次に、上述のようにして好適な実施形態例として設定された一例について、図１により詳述する。なお、ここで、本実施の形態例では低密度ポリエチレンを用いてインジェクション成型されたものである。
図１に示す留置針挿入用ホール形成ピンにおいて、円柱状の挿入部１は、その先端が曲面を有する形状になっている。この形状により、透析用留置針等により穿刺された部位に、この挿入部１を挿入してボタンホールを形成するにあたり、壁や他部位を傷つけたりすることがなくなる。そして、鋭利でない先端を有する留置針を挿入できる程度のホールを形成するために、挿入部１の外径は０．５〜３．０ｍｍであるのが好ましく、前述した留置針が用いられる用途にもよるが、１．０〜２．０ｍｍがより好適である。また、この留置針挿入用ホール形成ピンの留置時に、ピンの先端が血管壁あるいはその直近まで到達するためには、長さが３〜２０ｍｍであるのが好ましく、４．０〜６．０ｍｍがより好適である。
また、挿入部１は留置針の穿刺角度に合わせて適当な角度に傾斜して設けられているのが一般的であるが、これに限ることはなく、翼部４に対し垂直に設けられていてもよい。なお、本実施形態の例では全体を一体成型して製作し、翼部４部分は片側略１０ｍｍ角、厚さは１ｍｍとした。
この挿入部１の形成材料としては、ポリウレタン、ポリプロピレン、ポリカーボネート、ＡＢＳ樹脂、ポリエチレン、ポリテトラフルオロエチレン、ポリスルホンなどの合成樹脂や、ステンレスなどの金属等が挙げられる。さらに、これらに抗血栓性材料や抗菌性材料をコーティングしり、合成樹脂材料の場合には練り込まれたもの等も好ましく採用される。
挿入停止部２は、挿入部１が皮膚の中へと完全に埋没してしまい、ボタンホール入口の形成が不完全になってしまうのを防止するために設けられている。その挿入停止部２の形状としては、球状、平板状、円錐状、卵形状などが採用できる。そして、挿入停止部２の水平方向（接触する皮膚表面に平行な方向）の断面形状としては、挿入部１の外径より大きい部分（最大径部分）があれば問題はない。最大径は、例えば円形の平板状であれば、２〜１０ｍｍφであるのが好ましく、さらに好ましくは３．０〜５．０ｍｍφがより好適である。
図１の本発明留置針挿入用ホール形成ピンの実施形態の例では、弾性接続部３０の一形態として図３に基づいて前述した、α：血管５に対する穿刺角度の自在性、およびβ：挿入停止部の円柱状挿入部の円柱部分の軸を中心とした略周回方向の角度の自在性という、αおよびβのそれぞれの方向への弾性変形のバランスが調整されて設定されたものとして、接続枝３を採用した。
すなわち、接続枝３は、挿入停止部２と翼部４を繋ぐ部分であり、ある程度の柔軟性を備えている。これにより、後述の翼部４が皮膚に固定された状態で、挿入部１の翼部４に対する角度と、形成されるホールの前段階である傷（通路）の角度にずれがあった場合には、接続枝３がねじれるなどして誤差を吸収するという微妙な調整がなされ、生体に負荷がかからないようになっている。
前述したように、挿入停止部２や翼部４に対して接続枝３に適度な柔軟性を具備させるために、好ましい太さ、長さ、材質の組み合わせが設定されているわけで、本実施形態のように、低密度ポリエチレンによってインジェクション成型されたもので挿入部１の横断面形状が円形の場合、好ましい直径は０．５〜３ｍｍφ、より好ましくは１〜２ｍｍφであり、好ましい長さ寸法としては０．５〜１０ｍｍ、より好ましくは１〜５ｍｍである。
翼部４は、皮膚表面に確実に固定するための固定手段として機能する。また、従来の留置針挿入用ホール形成ピンの場合、挿入停止部に形成された保持部（窪み）に別部品の補助具をとりつけて挿入し、挿入の後に補助具を取り外すという作業が必要であったが、本発明留置針挿入用ホール形成ピンの場合は、翼部４を指先で把持して挿入してそのまま固定することができるので、留置手技が容易になるという効果を有している。なおここで、一般的に医療従事者は感染防止，無菌状態の維持のために、療用プラスチックフィルム製の手袋等を併用するのが好ましい。
翼部４の形状としては図１に示す五角形の他、三角形、四角形などの多角形、円形、楕円形、卵形などの曲線を含む形状も採用できる。そして、翼部４の面積は、ピン挿入時に把持しやすく、腕等への固定ができて、固定時に負担とならない程度の大きさであることが求められ、好ましくは２０〜５００ｍｍ２程度であり、より好ましくは５０〜２００ｍｍ２が好適である。
また、皮膚へのテープ貼付面積を可能な限り減らすという観点から、挿入部１の挿入がされた時点で図に示された２枚の翼部４のうちの１枚を切り取って残りの翼部４の上からテープが貼り付けられてもよく、この場合前述接続枝３が柔軟性を備えた細い部分を形成していることから、２枚の翼部４のうち１枚を容易に切り取ることができる。
なお、本発明留置針挿入用ホール形成ピンは生産コストから通常、挿入部１、挿入停止部２、接続枝３及び翼部４は射出成形により一体に成形されるが、挿入部１を別体に成形し、翼部４と一体に成形された挿入停止部２に組み付けてもよい。この場合の、挿入停止部２、接続枝３及び翼部４の形成材料には、挿入部１と同様の材料を用いてもよく、軟質ポリ塩化ビニル、ゴム状弾性体等の軟質材料を用いてもよい。
［装着治具の実施例１］
本発明留置針挿入用ホール形成ピンに用いる装着治具Ｂの第一の実施形態例を示す図４（図５）において、装着治具Ｂは、本体６と該本体６に組み込まれ該本体６の長さ方向に摺動する摺動体７とを有し、本実施形態例では摺動体７の先端部には留置針挿入ホール形成用ピンＡを支持するための支持手段１０が備えられており、本体６は平行な二つの相対する側板６１の後端部が接続され一体的に形成され、該二つの側板６１のそれぞれの内壁にはガイド６２が形成され、二つの側板６１の間に嵌挿される摺動体７を構成する左右の両側の外壁７１にもガイド７２が形成され、ガイド６２とガイド７２とは摺動方向に噛み合うようにして、摺動体７が本体６の前方に摺動可能となされている。また、摺動体７の上部には駆動手段９としての指掛け部９１が形成されており、前記摺動体７は本体６を掴んだ手の指によって摺動されるようになっている。
なお、この第一の実施形態例では、図５に示す留置針挿入用ホール形成ピンを装着治具Ｂに取り付けた状態で、留置針挿入用ホール形成ピンＡの翼部４は本体６先端と摺動体７先端に形成される隙間が翼部４を保持する翼部保持手段１００として機能するため、装着前の留置針挿入用ホール形成ピンＡは２枚の翼部４が振れることなくしっかりと装着治具Ｂ先端部に取り付けられてホール形成ピンの向きが定まって、所定の向きに確実に挿入できて操作性が良い。
［装着治具の実施例２］
本発明ホール形成ピンに用いる装着治具Ｂの、第二の実施形態例を示す図６において、本体６の先端部から突出された摺動軸６３に摺動体７が摺動可能に挿通され、本体６の左右側壁６１と摺動体７の左右側壁７１には本体６と摺動体７の外方に屈曲された２個の伸縮アーム状のバネ材８端部のそれぞれが固定されており、該バネ材８はピン結合部８１を介して屈曲可能となされバネ材８の伸縮により生じるバネ材８の両端間の距離差により摺動体７の摺動が行われるようになされている。また、前記バネ材８のピン結合部８１には駆動手段９としての指掛け部９１が形成され、該摺動体７の摺動はこれら左右の指掛け部９１を指先で押し込むことで摺動体７が摺動軸６３に対して摺動するようになっている。
なお、この第二の実施形態例では、本体６先端部から突出された摺動軸６３の先端が、留置針挿入用ホール形成ピンＡの挿入停止部２の挿入部１の突出側と反対側に形成された差し込み孔２１（図では現れていない）に嵌合され留置針挿入用ホール形成ピンを支持する支持手段１０として機能し、上述の摺動に伴って該支持手段１０、すなわちここでは摺動軸６３の先端が摺動体７に対し相対的に後方に後退されることにより該支持手段１０から留置針挿入用ホール形成ピンが離脱されるようになされたものである。これにより、ホール形成用ピンを皮膚表面から血管に向け挿入させた後は装着治具をすぐに離すことができ、ホール形成ピンを装着治具から他の医療治具等を用いて外すような操作が不要で、即座に皮膚表面に翼部を介してテープ等で固定できて操作性が良い。
［装着治具の実施例３］
また、本発明ホール形成ピンに用いる装着治具Ｂの、第三の実施形態例を示す図７（図８）において、装着治具Ｂは、本体６と該本体６に組み込まれ該本体６の長さ方向に摺動する摺動体７とを有し、本体６は左右の側壁６５、底板６６、天板６７、後端壁６８とからなる筒状をなし、本体６の後端壁６８内部と摺動体７の後端７４との間にコイルバネ９０が嵌合されて摺動体７が前方へ付勢され、摺動体７の上部には前向きの斜面７３が形成され、該斜面７３に相応した後ろ向きの斜面９３が指掛け部材９２の下部に形成され、該指掛け部材９２の上部が本体６の天板６７に開けられた透孔６４から本体上方に突出されている。そして、該指掛け部材９２を下に押した際後ろ向きの斜面９３が前記摺動体７の前向きの斜面７３を押し込むこととなって、摺動体７はコイルバネ９０を圧縮する向きの本体６の後ろ側に摺動されるようになっている。
さらに前記摺動体７の前端においては、摺動体７前端に連結された２つの翼部支持ピン７５がその先端を前記本体６の先端部に開けられた透孔６４′から本体斜め前方に突出されており、この翼部支持ピン７５先端部が留置針挿入用ホール形成ピンＡの翼部４に形成された２つの小孔４１に嵌合されて、ホール形成ピンＡを支持するという支持手段１０として機能していると同時に、翼部４を保持する翼部保持手段１００としても機能している。そして、該支持手段１０は前述第二の実施形態例の場合と同様に、摺動体７がその摺動時に本体６に対し相対的に後方に後退されて、本体６先端部に開けられた透孔６４′から翼部支持ピン７５が後退して該支持手段１０から留置針挿入用ホール形成ピンＡが離脱されるようになされ、ホール形成用ピンＡを皮膚表面から血管に向け挿入された後に装着治具Ｂをすぐに離すことができるようになっている。
上述した装着治具Ｂの形成材料としては、本体，摺動体、他、指掛け部材や翼部支持ピン等は一般に熱可塑性合成樹脂による射出成型品が用いられるが、合金材料の鋳物製、金属材料による切削品等でもよい。また、伸縮アーム状のバネ材としては耐蝕性の金属材料等も好適に用いられ、コイルバネとしてはステンレス等耐蝕性の金属製線材材料によって形成されたものが用いられる。
【産業上の利用可能性】  先に本発明の留置針挿入用ホール形成ピンの使用について説明すると、まず、患者の静脈に鋭利な先端を有する透析用留置針を刺入して透析等処置を開始し、その後血液透析の施行が完了した後には、この透析用留置針を引き抜く。透析用等留置針を引き抜いた直後は刺通傷となって通路が形成されているので、この通路に沿って本発明のホール形成ピンを挿入する。
翼部４をテープで腕に止め、ホール形成ピンを数日間留置した後抜去すれば、皮膚表面から血管内までの留置針挿入用ホール（ボタンホール）が、血管壁まであるいはその直近までの間に形成される。そこで、再度処置の際などには穿刺針で血管壁を１度だけ穿刺すると、皮膚表面から血管内までが通じるようになる。そして、非使用時にはボタンホールは凝固または半凝固状態の血液で塞がれボタンホール入口の表面は小さなかさぶた状になっているので、ボタンホールに透析用留置針を留置する際には、医療用鉤状フックやピンセット等でかさぶたを剥がしてから留置針をホールに挿入すればよい。なお、このボタンホールに挿入される透析用留置針としては、先端が鋭利でないものを採用するのが好ましく、これによって患者に苦痛を与えることが少なくなる。
以上述べたように、本発明の留置針挿入用ホール形成ピンは、留置針を引き抜いた後の刺通傷の角度とホール形成ピンの角度とが必ずしも正確に同一ではなくても、留置針挿入用ホール形成ピンに設けられた弾性接続部の柔軟性によって、挿入部の挿入に際して刺通傷の角度に追随してなめらかな挿入操作がなされる。また、留置中においては留置針挿入用ホール形成ピンが回転することがないため、意図した方向・角度でのボタンホールの形成が可能である。
そして、本発明留置針挿入用ホール形成ピンにより留置針を挿入させるための通路となるボタンホールが簡単に形成されることから、留置針の留置中や、ボタンホール法による透析中に生体への負担を極力抑えることができる。
さらに、翼部を把持して刺通傷への挿入を行えて、装着治具を用いなくても挿入操作が容易である。また、ホール形成ピンの装着に際し必要に応じて装着治具を用いる場合も、本発明に係る留置針挿入用ホール形成ピンの装着治具であれば、装着治具にホール形成ピンを確実に取り付けでき、生体への挿入方向を確認しながら使用できる。また、ホール形成ピンを皮膚表面から血管に向け挿入された後に装着治具をすぐに離すことができることからホール形成ピンを装着治具から他の医療治具等によって外すような操作を必要とせず、皮膚表面に留置針挿入用ホール形成ピンを翼部を介して即座にテープなどで固定できて操作性が良い。
上述してきた実施形態の例の説明では透析用の留置針を挿入するためのホール形成ピンについて述べてきたが、本願留置針挿入用ホール形成ピンは透析用の用途以外に、血液サンプリング等定期的な検査や持続的，断続的な薬液投与（輸液等）の用途に対しても、用いられる留置針ホール形成ピンの挿入部や弾性接続部の材質、寸法等の設定次第で使用目的に合わせて広く適用される。
【図１】
2004011063.tif 000003
【図２】
2004011063.tif 000004
【図３】
2004011063.tif 000005
【図４】
2004011063.tif 000006
【図５】
2004011063.tif 000007
【図６】
2004011063.tif 000008
【図７】
2004011063.tif 000009
【図８】
2004011063.tif 000010
【国際調査報告】
2004011063.tif 000011
2004011063.tif 000012
2004011063.tif 000013
2004011063.tif 000014